(57)【要約】【課題】予め、受信するデータの各担当者を設定しておき、データを受信した際に、該データを、該データの担当者に対応する格納場所へ格納する情報処理装置において、データの担当者の変更を受け付け、承認が行われるまでの間に受信した、誰が担当するか保留となっているデータと、担当者が定められているデータを区別して格納場所へ格納することができる情報処理装置を提供する。【解決手段】情報処理装置の受取手段は、データを受け取り、格納手段は、データを担当者毎に割り当てられている格納場所に格納し、前記格納手段は、データの担当者を変更する申請が承認又は否決されるまでの間に、前記受取手段がデータを受け取った場合は、変更前の担当者に割り当てられた格納場所とは異なる、仮の格納場所である仮格納場所に格納する。【選択図】図１
2020144490.tif 000002
【特許請求の範囲】
【請求項１】
データを受け取る受取手段と、
データを担当者毎に割り当てられている格納場所に格納する格納手段
を有し、
前記格納手段は、
データの担当者を変更する申請が承認又は否決されるまでの間に、前記受取手段がデータを受け取った場合は、変更前の担当者に割り当てられた格納場所とは異なる、仮の格納場所である仮格納場所に格納する、
情報処理装置。
【請求項２】
前記格納手段は、担当者の変更が承認された場合、前記仮格納場所に格納されたデータを、変更後の担当者に割り当てられている格納場所に格納する、
請求項１に記載の情報処理装置。
【請求項３】
前記仮格納場所は、前記申請前の担当者に関連する格納場所であり、
前記申請前の担当者に対して、該担当者に割り当てられている格納場所に格納されたデータと前記仮格納場所に格納されたデータとを区別して表示する表示手段
をさらに有する請求項１に記載の情報処理装置。
【請求項４】
前記変更が申請された後であって、前記変更が承認される前にデータを受け取った場合は、前記変更された後の担当者に対して、該担当者に割り当てられている格納場所に該データが格納される可能性がある旨を通知する通知手段
をさらに有する請求項１に記載の情報処理装置。
【請求項５】
前記変更が申請された後であって、前記変更が承認される前にデータを受け取った場合は、前記変更の申請前の担当者に対して、前記仮格納場所に該データが格納されている旨を通知する通知手段
をさらに有する請求項１に記載の情報処理装置。
【請求項６】
前記通知手段は、承認者に対して、前記仮格納場所に記憶されているデータ、該データの変更前の担当者、該データの変更後の担当者の一覧を通知する、
請求項５に記載の情報処理装置。
【請求項７】
前記格納手段は、
前記変更の承認が否決された場合は、前記仮格納場所に格納されているデータを、変更前の担当者に割り当てられている格納場所に格納する、
請求項１に記載の情報処理装置。
【請求項８】
コンピュータを、
データを受け取る受取手段と、
データを担当者毎に割り当てられている格納場所に格納する格納手段
として機能させ、
前記格納手段は、
データの担当者を変更する申請が承認又は否決されるまでの間に、前記受取手段がデータを受け取った場合は、変更前の担当者に割り当てられた格納場所とは異なる、仮の格納場所である仮格納場所に格納する、
データ処理プログラム。
【発明の詳細な説明】
【技術分野】
【０００１】
本発明は、情報処理装置及びデータ処理プログラムに関する。
【背景技術】
【０００２】
受け取ったデータを担当者毎に定められている記憶場所に格納することが行われている。
例えば、特許文献１には、一連の受発注業務を効率よく遂行し得る受発注システム、及びそのプログラムを提供することを課題とし、ファクシミリ装置と受発注管理装置と端末装置とを通信回線を介して接続しておき、受発注管理装置は、ファクシミリ装置から受信した発注書等の文書データを該ファクシミリ装置のＦＡＸ番号と関連付けて担当者別又は担当グループ別又は顧客別のいずれかのフォルダに保存し、端末装置からの閲覧要求に応じて前記担当者別フォルダ内の文書データに係る一覧データをＧＵＩ画面として表示可能に該端末装置に転送すると共に、その後の閲覧要求に応じて個別の文書データを転送し、端末装置の表示装置に表示されたＧＵＩ画面でのドラッグアンドドロップ操作により前記文書データに対する所定の処理を実行するよう前記端末装置から要求された場合は、該依頼に係る処理を実行すると共に、前記担当者別フォルダ内の該依頼に係る文書データを該依頼に係る処理に対応する別のフォルダに移動するように制御することが開示されている。
【先行技術文献】
【特許文献】
【０００３】
【特許文献１】特開２００５−１２９００５号公報
【発明の概要】
【発明が解決しようとする課題】
【０００４】
予め、受信する各データに対して、該データを処理する担当者を設定しておき、データを受信した際に、該データを、予め定められた担当者に対応する格納場所に格納する先行技術がある。さらに、特定のデータの担当者を別の担当者に変更し、その変更が承認された後に、該特定のデータの格納先が、変更後の担当者に対応する格納場所へ変更されることもある。その際、変更の承認が行われるまでは、該特定のデータは、変更前の担当者の格納場所へ格納されてしまうため、承認が行われた後に、変更前の担当者は、変更後の担当者へ引き継ぐべきデータを特定しなければならなく、その作業が煩雑となる。
本発明は、予め、受信するデータの各担当者を設定しておき、データを受信した際に、該データを、該データの担当者に対応する格納場所へ格納する情報処理装置において、データの担当者の変更を受け付け、承認が行われるまでの間に受信した、誰が担当するか保留となっているデータと、担当者が定められているデータを区別して格納場所へ格納することができる情報処理装置及びデータ処理プログラムを提供することを目的としている。
【課題を解決するための手段】
【０００５】
かかる目的を達成するための本発明の要旨とするところは、次の各項の発明に存する。
請求項１の発明は、データを受け取る受取手段と、データを担当者毎に割り当てられている格納場所に格納する格納手段を有し、前記格納手段は、データの担当者を変更する申請が承認又は否決されるまでの間に、前記受取手段がデータを受け取った場合は、変更前の担当者に割り当てられた格納場所とは異なる、仮の格納場所である仮格納場所に格納する、情報処理装置である。
【０００６】
請求項２の発明は、前記格納手段は、担当者の変更が承認された場合、前記仮格納場所に格納されたデータを、変更後の担当者に割り当てられている格納場所に格納する、請求項１に記載の情報処理装置である。
【０００７】
請求項３の発明は、前記仮格納場所は、前記申請前の担当者に関連する格納場所であり、前記申請前の担当者に対して、該担当者に割り当てられている格納場所に格納されたデータと前記仮格納場所に格納されたデータとを区別して表示する表示手段をさらに有する請求項１に記載の情報処理装置である。
【０００８】
請求項４の発明は、前記変更が申請された後であって、前記変更が承認される前にデータを受け取った場合は、前記変更された後の担当者に対して、該担当者に割り当てられている格納場所に該データが格納される可能性がある旨を通知する通知手段をさらに有する請求項１に記載の情報処理装置である。
【０００９】
請求項５の発明は、前記変更が申請された後であって、前記変更が承認される前にデータを受け取った場合は、前記変更の申請前の担当者に対して、前記仮格納場所に該データが格納されている旨を通知する通知手段をさらに有する請求項１に記載の情報処理装置である。
【００１０】
請求項６の発明は、前記通知手段は、承認者に対して、前記仮格納場所に記憶されているデータ、該データの変更前の担当者、該データの変更後の担当者の一覧を通知する、請求項５に記載の情報処理装置である。
【００１１】
請求項７の発明は、前記格納手段は、前記変更の承認が否決された場合は、前記仮格納場所に格納されているデータを、変更前の担当者に割り当てられている格納場所に格納する、請求項１に記載の情報処理装置である。
【００１２】
請求項８の発明は、コンピュータを、データを受け取る受取手段と、データを担当者毎に割り当てられている格納場所に格納する格納手段として機能させ、前記格納手段は、データの担当者を変更する申請が承認又は否決されるまでの間に、前記受取手段がデータを受け取った場合は、変更前の担当者に割り当てられた格納場所とは異なる、仮の格納場所である仮格納場所に格納する、データ処理プログラムである。
【発明の効果】
【００１３】
請求項１の情報処理装置によれば、予め、受信するデータの各担当者を設定しておき、データを受信した際に、該データを、該データの担当者に対応する格納場所へ格納する情報処理装置において、データの担当者の変更を受け付け、承認が行われるまでの間に受信した、誰が担当するか保留となっているデータと、担当者が定められているデータを区別して格納場所へ格納することができる。
【００１４】
請求項２の情報処理装置によれば、担当者の変更が承認された場合、仮格納場所に格納されたデータが、変更後の担当者の格納場所に格納される。
【００１５】
請求項３の情報処理装置によれば、申請前の担当者に対して、申請前のデータと申請後のデータとを区別して表示することができる。
【００１６】
請求項４の情報処理装置によれば、変更後の担当者に対して、その担当者が担当する可能性のあるデータがある旨を通知することができる。
【００１７】
請求項５の情報処理装置によれば、変更前の担当者に対して、仮格納場所へデータが格納されている旨を通知することができる。
【００１８】
請求項６の情報処理装置によれば、承認者に対して、仮格納場所に記憶されているデータ、そのデータの変更前の担当者、そのデータの変更後の担当者の一覧を通知することができる。
【００１９】
請求項７の情報処理装置によれば、変更の承認が否決された場合は、仮格納場所に格納されているデータを、変更前の担当者に担当させることができる。
【００２０】
請求項８のデータ処理プログラムによれば、予め、受信するデータの各担当者を設定しておき、データを受信した際に、該データを、該データの担当者に対応する格納場所へ格納する情報処理装置において、データの担当者の変更を受け付け、承認が行われるまでの間に受信した、誰が担当するか保留となっているデータと、担当者が定められているデータを区別して格納場所へ格納することができる。
【図面の簡単な説明】
【００２１】
【図１】本実施の形態の構成例についての概念的なモジュール構成図である。
【図２】本実施の形態を利用したシステム構成例を示す説明図である。
【図３】本実施の形態の構成例についての具体的なモジュール構成図である。
【図４】本実施の形態による処理例を示すフローチャートである。
【図５】ファックスデータのデータ構造例を示す説明図である。
【図６】担当者情報管理テーブルのデータ構造例を示す説明図である。
【図７】フォルダのデータ構造例を示す説明図である。
【図８】本実施の形態による処理例を示すフローチャートである。
【図９】本実施の形態による処理例を示す説明図である。
【図１０】担当変更管理テーブルのデータ構造例を示す説明図である。
【図１１】本実施の形態による処理例を示す説明図である。
【図１２】本実施の形態による処理例を示す説明図である。
【図１３】本実施の形態による処理例を示す説明図である。
【図１４】本実施の形態による処理例を示す説明図である。
【図１５】本実施の形態による処理例を示す説明図である。
【図１６】本実施の形態による処理例を示すフローチャートである。
【図１７】本実施の形態による処理例を示す説明図である。
【図１８】本実施の形態による処理例を示す説明図である。
【図１９】本実施の形態を実現するコンピュータのハードウェア構成例を示すブロック図である。
【発明を実施するための形態】
【００２２】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（「ソフトウェア」の解釈として、コンピュータ・プログラムを含む）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（例えば、コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（例えば、データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（「２以上の値」には、もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（「ネットワーク」には、一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（つまり、社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙの略）、外部記憶媒体、通信回線を介した記憶装置、ＣＰＵ（Ｃｅｎｔｒａｌ  Ｐｒｏｃｅｓｓｉｎｇ  Ｕｎｉｔの略）内のレジスタ等を含んでいてもよい。
【００２３】
本実施の形態である情報処理装置１００は、受け付けたデータを担当者に割り振る機能を有しており、図１の例に示すように、制御モジュール１０５、格納場所１２０を有している。
【００２４】
制御モジュール１０５は、受取モジュール１１０、格納モジュール１３０、表示モジュール１４０、通知モジュール１５０を有している。制御モジュール１０５は、データの処理を行う。
受取モジュール１１０は、外部からデータを受け取る。
ここで「データを受け取る」とは、担当者毎に割り当てるべきデータを受け取ることであって、より詳細には、データを受け取るべき窓口（窓口として、例えば、会社等の組織）は一つであるが、その後に、そのデータを割り当てることが行われる場合における窓口の機能に該当する。「データを受け取る」として、例えば、ファックス画像を受信すること、スキャナで読み取った画像を受け取ること、電子メールを受信すること、ＳＮＳ等のメッセージ機能でメッセージを受け取ること等が該当する。データには、画像、文書、ファイル、文字列、音声、動画像等を含む。
【００２５】
格納場所１２０は、担当者用格納場所１２２と担当者用仮格納場所１２４に分かれている。担当者用格納場所１２２と担当者用仮格納場所１２４は、ともにデータを記憶する。そして、例えば、担当者毎のデータの格納場所である担当者Ａ用格納場所１２２Ａ、担当者Ｂ用格納場所１２２Ｂ等、担当者毎のデータの仮格納場所である担当者Ａ用仮格納場所１２４Ａ、担当者Ｂ用仮格納場所１２４Ｂ等を有している。
ここで、「格納場所」、「仮格納場所」とは、複数のデータを格納可能とする記憶領域をいい、例えば、フォルダ、ディレクトリー、ＵＲＬ（Ｕｎｉｆｏｒｍ  Ｒｅｓｏｕｒｃｅ  Ｌｏｃａｔｏｒの略）等が該当する。
担当者用仮格納場所１２４は、申請前の担当者に関連する格納場所である。つまり、担当者用仮格納場所１２４は、申請前の担当者の担当者用格納場所１２２からたどれるようになっている。具体的には、、担当者用格納場所１２２内に担当者用仮格納場所１２４を格納していてもよい。
【００２６】
格納モジュール１３０は、データを担当者毎に割り当てられている格納場所に格納する。例えば、担当者Ａ用のデータであれば担当者Ａ用格納場所１２２Ａに格納し、担当者Ｂ用のデータであれば担当者Ｂ用格納場所１２２Ｂに格納する。
また、格納モジュール１３０は、データの担当者を変更する申請が承認されるまでの間に、受取モジュール１１０がデータを受け取った場合は、変更前の担当者に割り当てられた担当者用格納場所１２２とは異なる、仮の格納場所である担当者用仮格納場所１２４に格納する。
ここで「データの担当者を変更する申請」時において、そのデータの担当者が定まっている状態、つまり後任者がいる状態であってもよいし、そのデータの後任者が定まっていない状態、つまり担当者が未定の状態であってもよい。
また、「データの担当者を変更」は、前任者から後任者への業務の引き継ぎであってもよいし、一時的な別の担当者への設定であってもよい。後者として、例えば、休暇中における代替の担当者の設定が該当する。また後任者を定めなくても、一時的に担当者を解除する変更であってもよい。
「データの担当者を変更する申請」を行う者は、誰であってもよい。例えば、前任者であってもよいし、後任者であってもよい。一般的には、前任者が申請し、以下、例示する場合は、前任者が申請する。
【００２７】
また、格納モジュール１３０は、担当者の変更が承認された場合、担当者用仮格納場所１２４に格納されたデータを、変更後の担当者に割り当てられている担当者用格納場所１２２に格納するようにしてもよい。例えば、担当者Ａから担当者Ｂに変更された場合は、担当者Ａ用仮格納場所１２４Ａに格納されたデータを担当者Ｂ用格納場所１２２Ｂに移動すればよい。
また、格納モジュール１３０は、担当者の変更の承認が否決（「否決」には、却下の概念を含む）された場合は、担当者用仮格納場所１２４に格納されているデータを、変更前の担当者に割り当てられている担当者用格納場所１２２へに格納するようにしてもよい。
【００２８】
表示モジュール１４０は、申請前の担当者に対して、その担当者に割り当てられている担当者用格納場所１２２に格納されたデータと担当者用仮格納場所１２４に格納されたデータとを区別して表示する。
ここで「申請前の担当者」とは、前任者をいう。
また、「申請前の担当者に関連する格納場所」として、前任者からたどることができる格納場所であればよい。例えば、格納場所をフォルダとした場合に、仮格納場所を前任者のフォルダの下にある子フォルダとしてもよいし、仮格納場所だけを集めた親フォルダの下にある前任者の子フォルダとしてもよい。
前任者は、申請前に受け取ったデータと申請後であって承認前のデータも閲覧することができる。つまり、担当者に割り当てられている格納場所の直下に格納されたデータを閲覧することは、申請前に受け取ったデータを閲覧することになり、仮格納場所に格納されたデータを閲覧することは、申請後であって承認前に受け取ったデータを閲覧することになる。
【００２９】
通知モジュール１５０は、担当者の変更が申請された後であって、その変更が承認される前に受取モジュール１１０がデータを受け取った場合は、その変更された後の担当者に対して、その担当者に割り当てられている格納場所にそのデータが格納される可能性がある旨を通知するようにしてもよい。
ここで「変更された後の担当者」は、申請が承認された後におけるデータの担当者である。
また、「通知」として、例えば、電子メール、チャット、電子掲示板、ソーシャルメディアを用いた通知、プッシュ通知、自動音声応答による電話発信等があり、電話発信として、例えば、Ｌｙｎｃ（登録商標）等を用いて行えばよい。
【００３０】
また、通知モジュール１５０は、担当者の変更が申請された後であって、その変更が承認される前に受取モジュール１１０がデータを受け取った場合は、その変更の申請前の担当者に対して、担当者用仮格納場所１２４にそのデータが格納されている旨を通知するようにしてもよい。
そして、通知モジュール１５０は、承認者に対して、担当者用仮格納場所１２４に記憶されているデータ、そのデータの変更前の担当者、そのデータの変更後の担当者の一覧を通知するようにしてもよい。
【００３１】
図２は、本実施の形態を利用したシステム構成例を示す説明図である。
情報処理装置１００、データ転送装置２００、データ格納装置２２０、ユーザー端末２５０Ａ、ユーザー端末２５０Ｂ、ユーザー端末２５０Ｘ、データ送信装置２７０は、通信回線２９０を介してそれぞれ接続されている。通信回線２９０は、無線、有線、これらの組み合わせであってもよく、例えば、通信インフラとしてのインターネット、イントラネット等であってもよい。また、情報処理装置１００、データ転送装置２００、データ格納装置２２０による機能は、クラウドサービスとして実現してもよい。
情報処理装置１００内の機能を、データ転送装置２００とデータ格納装置２２０に分けてもよい。例えば、データ転送装置２００は、制御モジュール１０５を有している。データ格納装置２２０は、格納場所１２０を有している。
ユーザー２６０Ａ、ユーザー２６０Ｂは、担当者であり、承認前担当者、承認後担当者であり得る。また、ユーザー２６０Ｘは、管理者とする。
【００３２】
例えば、データ送信装置２７０から情報処理装置１００又はデータ転送装置２００に、データが送信される。情報処理装置１００又はデータ転送装置２００は、データ送信装置２７０に応じた担当者を決定し、その担当者の担当者用格納場所１２２に受信したデータを格納する。例えば、データ送信装置２７０に応じた担当者がユーザー２６０Ａである場合、担当者Ａ用格納場所１２２Ａ内にそのデータを格納する。
例えば、ユーザー２６０Ａがユーザー２６０Ｘに対して、自分の担当をユーザー２６０Ｂに変更してほしい旨を申請する。しかし、ユーザー２６０Ｘがすぐに承認又は否決をするとは限らない。そして、担当者を変更する申請が承認又は否決されるまでの間に、データ送信装置２７０がデータを送信することがあり得る。その場合に、情報処理装置１００又はデータ転送装置２００は、担当者Ａ用仮格納場所１２４Ａにデータを格納する。そして、承認された場合は、担当者Ａ用仮格納場所１２４Ａ内のデータを担当者Ｂ用格納場所１２２Ｂに格納し、否決された場合は、担当者Ａ用仮格納場所１２４Ａ内のデータを担当者Ａ用格納場所１２２Ａに格納する。
【００３３】
図３は、本実施の形態の構成例についての具体的なモジュール構成図である。
図３は、情報処理装置１００の具体例として画像処理装置３００、データの具体例としてファックスデータ、格納場所の具体例としてフォルダ、仮格納場所として申請中フォルダの場合を示している。
処理例として、画像処理装置３００は、ファックス３７０から送信されてきたファックスデータを受信して、その送信元であるファックス３７０に対応する担当者のフォルダ（例えば、担当者Ａフォルダ３８２）にファックスデータを格納するものである。そして、担当者を変更する申請が行われ、申請が承認又は否決されるまでの間に、さらにファックスデータを受け取った場合は、変更前の担当者に割り当てられたフォルダとは異なる申請中フォルダ（例えば、申請中フォルダ３８４）に、そのファックスデータを格納するようにしている。
【００３４】
ファックス３７０は、画像処理装置３００内のファックスデータ受信モジュール３０５と接続されている。ファックス３７０は、画像処理装置３００に対して、ファックスデータを送信する。例えば、ファックスデータとして、発注書等がある。
【００３５】
画像処理装置３００は、ファックスデータ受信モジュール３０５、ファックスデータ抽出モジュール３１０、転送制御モジュール３１５を有している。
ファックスデータ受信モジュール３０５は、ファックスデータ抽出モジュール３１０、ファックス３７０と接続されている。ファックスデータ受信モジュール３０５は、ファックス３７０から送信されてきたファックスデータを受信する。
ファックスデータ抽出モジュール３１０は、ファックスデータ受信モジュール３０５、承認状態判断モジュール３４５と接続されている。ファックスデータ抽出モジュール３１０は、ファックスデータを抽出する。
【００３６】
転送制御モジュール３１５は、担当情報管理モジュール３２０、承認依頼モジュール３３０、担当変更申請モジュール３３５、承認指示モジュール３４０、承認状態判断モジュール３４５、フォルダ作成モジュール３５０、転送モジュール３５５、フォルダ移行モジュール３６０を有している。
【００３７】
担当情報管理モジュール３２０は、担当情報３２２、承認状態３２４を有している。担当情報管理モジュール３２０は、ファックスデータから得られた宛先情報と担当者を対応付ける（「紐付けする」とも言われる）ためのデータである担当情報３２２と、申請の承認状況を示すデータである承認状態３２４を管理する。
担当情報３２２は、承認指示モジュール３４０によってアクセスされる。
承認状態３２４は、担当変更申請モジュール３３５、承認指示モジュール３４０、承認状態判断モジュール３４５によってアクセスされる。
【００３８】
承認依頼モジュール３３０は、担当変更申請モジュール３３５と接続されている。承認依頼モジュール３３０は、管理者へ承認依頼を出す。
担当変更申請モジュール３３５は、担当情報管理モジュール３２０内の承認状態３２４にアクセスし、承認依頼モジュール３３０と接続されている。担当変更申請モジュール３３５は、担当情報管理モジュール３２０内の承認状態３２４を「承認中」に変更する。
【００３９】
承認指示モジュール３４０は、担当情報管理モジュール３２０内の担当情報３２２、承認状態３２４にアクセスし、フォルダ移行モジュール３６０と接続されている。承認指示モジュール３４０は、管理者から承認を受け付けた場合、担当情報管理モジュール３２０内の承認状態３２４を「通常」に変更し、フォルダ移行モジュール３６０にファックスデータを移動させる指示を出す。
承認状態判断モジュール３４５は、担当情報管理モジュール３２０内の承認状態３２４にアクセスし、ファックスデータ抽出モジュール３１０、フォルダ作成モジュール３５０、転送モジュール３５５と接続されている。承認状態判断モジュール３４５は、ファックスデータに基づいて、担当情報管理モジュール３２０から承認状態３２４を取得し、その承認状態３２４が「承認中」であるか、「通常」であるかを判断する。
【００４０】
フォルダ作成モジュール３５０は、承認状態判断モジュール３４５、転送モジュール３５５、転送先格納場所３８０と接続されている。フォルダ作成モジュール３５０は、転送モジュール３５５が転送処理を行うにあたって、フォルダの新規作成が必要な場合にフォルダを作成する。新規に作成されるフォルダとして、申請中フォルダと担当者用フォルダがある。申請中フォルダは、承認状態３２４が「承認中」である場合に作成される。担当者用フォルダは、新たな担当者である場合に作成される。
転送モジュール３５５は、承認状態判断モジュール３４５、フォルダ作成モジュール３５０、転送先格納場所３８０と接続されている。転送モジュール３５５は、ファックスデータの仕分け処理をおこなう。つまりファックスデータ受信モジュール３０５が受信したファックスデータを担当者に対応するフォルダに移動する。承認状態３２４が「申請中」である場合は、申請中フォルダに移動する。承認状態３２４が「申請中」から「通常」に変更された場合は、申請中フォルダ内のファックスデータを担当者に対応するフォルダに移動する。
フォルダ移行モジュール３６０は、承認指示モジュール３４０と接続されている。フォルダ移行モジュール３６０は、申請中フォルダ内のファックスデータを後任者のフォルダへ移動する。
【００４１】
転送先格納場所３８０は、担当者Ａフォルダ３８２、申請中フォルダ３８４、ファックスデータ３８６、担当者Ｂフォルダ３８８等を有している。転送先格納場所３８０は、ファックスデータを記憶する。なお、担当者毎のフォルダ、担当者毎の申請中フォルダがある。転送先格納場所３８０は、画像処理装置３００の転送制御モジュール３１５内のフォルダ作成モジュール３５０、画像処理装置３００の転送制御モジュール３１５内の転送モジュール３５５からアクセスされる。
担当者Ａフォルダ３８２は、担当者Ａに対応付けられたフォルダであって、担当者Ａにアクセス権があり、担当者Ａが担当するファックスデータが格納される。
申請中フォルダ３８４は、前任者が担当者Ａであり、担当者の変更の申請が行われたが、承認又は否決前である場合であって、ファックスデータ受信モジュール３０５がファックスデータ３８６を受信したときに、そのファックスデータ３８６を格納する。
担当者Ｂフォルダ３８８は、担当者Ｂに対応付けられたフォルダであって、担当者Ｂにアクセス権があり、担当者Ｂが担当するファックスデータが格納される。
【００４２】
図４は、本実施の形態である画像処理装置３００による処理例を示すフローチャートである。担当者の変更の申請が行われていない場合、つまり通常の場合の処理例を示すものである。
【００４３】
ステップＳ４０２では、ファックスデータを受信する。例えば、ファックスデータ５００を受信する。図５は、ファックスデータ５００のデータ構造例を示す説明図である。ファックスデータ５００は、送信元欄５０５、送信先欄５１０、送信日時欄５１５、画像欄５２０を有している。送信元欄５０５は、ファックスデータの送信元を記憶している。前述の例では、ファックスデータを送信したファックス３７０が該当する。具体例として、送信元の電話番号であるファックス番号が該当する。送信先欄５１０は、ファックスデータの送信先を記憶している。前述の例では、ファックスデータを受信した画像処理装置３００が該当する。具体例として、送信先の電話番号であるファックス番号が該当する。送信日時欄５１５は、送信日時（「日時」の解釈として、年、月、日、時、分、秒、秒以下、又はこれらの組み合わせであってもよい）を記憶している。画像欄５２０は、ファックスデータである画像を記憶している。
ステップＳ４０４では、ファックスデータの送信元を抽出する。前述の例では、ファックスデータ５００の送信元欄５０５内のデータを抽出すればよい。
【００４４】
ステップＳ４０６では、送信元に対応する担当者を抽出する。例えば、担当者情報管理テーブル６００を用いて担当者を抽出する。図６は、担当者情報管理テーブル６００のデータ構造例を示す説明図である。担当者情報管理テーブル６００は、担当ＩＤ欄６０５、送信元欄６１０、担当者欄６１５、ステータス欄６２０を有している。担当ＩＤ欄６０５は、本実施の形態において、担当を一意に識別するための情報（具体的には、担当ＩＤ：ＩＤｅｎｔｉｆｉｃａｔｉｏｎ）を記憶している。送信元欄６１０は、送信元を記憶している。担当者欄６１５は、その送信元に対応する担当者を記憶している。ステータス欄６２０は、その担当におけるステータスを記憶している。ステータスとして、前述したように「通常」と「申請中」がある。「通常」は、その担当者がその送信元の担当であることを意味している。したがって、「通常」である場合は、その送信元からのファックスデータは、その担当者のフォルダに格納すればよい。「申請中」は、その担当者から別の担当者に変更することの申請が行われ、その申請に対しての承認又は否決されるまでの間の状態であることを示している。したがって、「申請中」である場合は、その送信元からのファックスデータは、その担当者の申請中フォルダに格納すればよい。例えば、担当者情報管理テーブル６００の１行目は、担当ＩＤ：Ｔ００１は、送信元が「Ａ社」であり、担当者が「担当者Ａ」であり、ステータスが「通常」であることを示しており、２行目は、担当ＩＤ：Ｔ００２は、送信元が「Ｂ社」であり、担当者が「担当者Ｂ」であり、ステータスが「通常」であることを示しており、３行目は、担当ＩＤ：Ｔ００３は、送信元が「Ｃ社」であり、担当者が「担当者Ｅ」であり、ステータスが「通常」であることを示している。
【００４５】
ステップＳ４０８では、担当者に対応するフォルダにファックスデータを格納する。図６に例示の担当者情報管理テーブル６００に従えば、ファックスデータは、送信元がＡ社である場合、担当者Ａのフォルダに格納し、送信元がＢ社である場合、担当者Ｂのフォルダに格納し、送信元がＣ社である場合、担当者Ｅのフォルダに格納することになる。
なお、フォルダのデータ構造例を図７に示す。例えば、ルートフォルダ７００の下層に担当者Ａフォルダ７０５、担当者Ｂフォルダ７１０、担当者Ｃフォルダ７１５等があり、担当者Ａフォルダ７０５の下層にファックスデータ７２０Ａ、ファックスデータ７２０Ｂ、ファックスデータ７２０Ｃ、申請中フォルダ７３０等がある。図６に例示の担当者情報管理テーブル６００にしたがって、送信元がＡ社であるファックスデータであるファックスデータ７２０Ａ、ファックスデータ７２０Ｂ、ファックスデータ７２０Ｃは、担当者Ａフォルダ７０５に格納されている。
【００４６】
図８は、本実施の形態による処理例を示すフローチャートである。ファックスデータの担当者の変更の申請が行われた場合の処理例を示すものである。
【００４７】
ステップＳ８０２では、現在の担当者から他の担当者へ担当変更を申請する。一般的に、申請を行う者は現在の担当者であるが、後任者である他の担当者であってもよい。
例えば、申請者のユーザー端末２５０又は情報処理装置１００に備え付けられている表示装置に担当者変更申請画面９００を表示する。図９は、本実施の形態による処理例を示す説明図である。担当者変更申請画面９００には、担当会社記載欄９１０、変更後担当者記載欄９２０、申請ボタン９３０、戻るボタン９４０を表示する。
担当者変更申請画面９００には、例えば、「Ａ社（担当会社記載欄９１０）の担当を私（担当者Ａ）から担当者Ｂ（変更後担当者記載欄９２０）に変更していただくよう申請します。」と表示する。もちろんのことながら、担当会社記載欄９１０、変更後担当者記載欄９２０内は、申請者の操作によって変更され得る。
【００４８】
ステップＳ８０４では、管理者に承認依頼を出す。例えば、図９に示した担当者変更申請画面９００内の申請ボタン９３０を申請者が選択する。
ステップＳ８０６では、ステータスを承認中に変更する。例えば、図９に示した申請が行われた場合、担当変更管理テーブル１０００の１行目のステータス欄１０２５を「承認中」に変更する。図１０は、担当変更管理テーブル１０００のデータ構造例を示す説明図である。担当変更管理テーブル１０００は、申請ＩＤ欄１００５、送信元欄１０１０、変更前担当者欄１０１５、変更後担当者欄１０２０、ステータス欄１０２５を有している。申請ＩＤ欄１００５は、本実施の形態において、申請を一意に識別するための情報（具体的には、申請ＩＤ：ＩＤｅｎｔｉｆｉｃａｔｉｏｎ）を記憶している。送信元欄１０１０は、送信元を記憶している。変更前担当者欄１０１５は、その送信元の変更前における担当者を記憶している。変更後担当者欄１０２０は、申請のあったその送信元の変更後における担当者を記憶している。ステータス欄１０２５は、その申請のステータスを記憶している。
例えば、担当変更管理テーブル１０００の１行目は、申請ＩＤ：１は、送信元が「Ａ社」であり、変更前の担当者が「担当者Ａ」であり、変更後の担当者が「担当者Ｂ」であり、ステータスが「承認中」であることを示しており、２行目は、申請ＩＤ：２は、送信元が「Ｂ社」であり、変更前の担当者が「担当者Ｂ」であり、変更後の担当者が「担当者Ｄ」であり、ステータスが「承認中」であることを示しており、３行目は、申請ＩＤ：３は、送信元が「Ｃ社」であり、変更前の担当者が「担当者Ｅ」であり、変更後の担当者が「担当者Ｆ」であり、ステータスが「承認中」であることを示している。
また、例えば、図６に示す担当者情報管理テーブル６００の１行目のステータス欄６２０を「通常」から「承認中」に変更する。
【００４９】
ステップＳ８０８では、管理者に通知を出す。例えば、管理者のユーザー端末２５０又は情報処理装置１００に備え付けられている表示装置に担当者変更承認画面１１００を表示する。図１１は、本実施の形態による処理例を示す説明図である。担当者変更承認画面１１００には、担当者変更情報表示及び承認領域１１１０を表示する。
担当者変更情報表示及び承認領域１１１０は、申請ＩＤ欄１１１５、送信元欄１１２０、変更前担当者欄１１２５、変更後担当者欄１１３０、承認欄１１３５を有している。申請ＩＤ欄１１１５には、申請ＩＤを表示する。送信元欄１０２０には、送信元を表示する。変更前担当者欄１１２５には、その送信元の変更前の担当者を表示する。変更後担当者欄１１３０には、その送信元の変更後の担当者を表示する。承認欄１１３５には、その申請を否決する否決ボタン、その申請を承認する承認ボタンを選択可能に表示する。
ステップＳ８１０では、管理者が担当者の変更を承認するか否かを判断し、承認する場合はステップＳ８１２へ進み、それ以外の場合はステップＳ８１８へ進む。図１１の例では、管理者の操作によって、担当者変更情報表示及び承認領域１１１０内の承認欄１１３５内の承認ボタンが選択された場合はステップＳ８１２へ進み、承認欄１１３５内の否決ボタンが選択された場合はステップＳ８１８へ進むことになる。
【００５０】
ステップＳ８１２では、ステータスを通常に変更する。例えば、図１１に示した担当者変更情報表示及び承認領域１１１０の１行目の承認が行われた場合、担当変更管理テーブル１０００の１行目のステータス欄１０２５を「承認中」から「通常」に変更する。
そして、図１３の例に示す担当者変更承認通知１３００を、担当者Ａに対して通知する。また、担当者Ｂに対しても通知するようにしてもよい。図１３は、本実施の形態による処理例を示す説明図である。担当者変更承認通知１３００には、例えば「Ａ社の担当が担当者Ａから担当者Ｂへ変更されました。担当者Ａの申請中フォルダのファックスデータは担当者Ｂのフォルダへ移動されました。」と表示する。
【００５１】
ステップＳ８１４では、担当者情報を変更する。例えば、図６に示す担当者情報管理テーブル６００の１行目の担当者欄６１５を「担当者Ａ」から「担当者Ｂ」に変更する。そして、担当者情報管理テーブル６００の１行目のステータス欄６２０を「承認中」から「通常」に変更する。
ステップＳ８１６では、申請中フォルダ内のファックスデータを後任者のフォルダに移動する。例えば、図７に示した担当者Ａの申請中フォルダ７３０内のファックスデータを担当者Ｂフォルダ７１０に移動すればよい。つまり、申請中フォルダ７３０内にあったファックスデータ（詳細には、担当者変更の申請があった後で、申請の承認があるまでの間に、受信したファックスデータ）は、担当者Ｂが担当することになる。
【００５２】
ステップＳ８１８では、ステータスを通常に変更する。例えば、図１１に示した担当者変更情報表示及び承認領域１１１０の１行目の否決が行われた場合、図６に示す担当者情報管理テーブル６００の１行目のステータス欄６２０を「承認中」から「通常」に変更する。
そして、図１２の例に示す担当者変更否決通知１２００を、担当者Ａに対して通知する。図１２は、本実施の形態による処理例を示す説明図である。
担当者変更否決通知１２００には、例えば「Ａ社の担当変更が否決されました。担当者Ａの申請中フォルダのファックスデータは、担当者Ａフォルダに振り分けられました。」と表示する。
【００５３】
ステップＳ８２０では、申請中フォルダ内のファックスデータを現担当者のフォルダに移動する。例えば、図７に示した担当者Ａの申請中フォルダ７３０内のファックスデータを担当者Ａフォルダ７０５の直下に移動すればよい。つまり、申請中フォルダ７３０内のファックスデータが、ファックスデータ７２０Ａ等と同列に扱われることになり、申請中フォルダ７３０内のファックスデータも担当者Ａが担当することになる。
【００５４】
なお、担当者の変更の申請が行われた後であって、その申請の承認又は否決が行われていない場合は、ファックスデータ受信通知１４００を元の担当者に通知するようにしてもよい。図１４は、本実施の形態による処理例を示す説明図である。
ファックスデータ受信通知１４００には、例えば「Ａ社の担当変更を申請しましたが、未だ承認されていません。Ａ社からのファックスデータを担当者Ａの申請中フォルダに移動しました。」と表示する。
【００５５】
そして、担当者の変更の申請が行われた後であって、その申請の承認又は否決が行われていない場合は、担当者変更申請中のファックスデータ受信通知１５００を管理者に通知するようにしてもよい。図１５は、本実施の形態による処理例を示す説明図である。
担当者変更申請中のファックスデータ受信通知１５００には、例えば「Ａ社の担当変更の申請がありましたが、未だ承認しておりません。申請後にファックスデータを受信しました。早目に承認又は否決の指示をお願いします。」と表示し、担当者変更情報表示領域１５１０、「承認画面へ」ボタン１５４０を表示する。
担当者変更情報表示領域１５１０は、申請ＩＤ欄１５１５、送信元欄１５２０、変更前担当者欄１５２５、変更後担当者欄１５３０を有している。申請ＩＤ欄１５１５には、申請ＩＤを表示する。送信元欄１５２０には、その申請が行われた後に受信したファックスデータの送信元を表示する。変更前担当者欄１５２５には、そのファックスデータの変更前の担当者を表示する。変更後担当者欄１５３０には、そのファックスデータの変更後の担当者を表示する。管理者の操作によって、「承認画面へ」ボタン１５４０が選択された場合は、図１１の例に示す担当者変更承認画面１１００を表示するようにしてもよい。
【００５６】
画像処理装置３００内の各モジュールを用いて、処理例を説明する。
承認依頼モジュール３３０は、担当者の変更依頼を受け付け、担当変更申請モジュール３３５へ変更依頼を出す。
担当変更申請モジュール３３５は、変更依頼を受け、担当情報管理モジュール３２０内の承認状態３２４を「承認中」に変更し、管理者へ通知を出す。
管理者はその通知を受け付け、担当者の設定変更を承認するか否かを図１１の例に示すような担当者変更承認画面１１００で操作する。
変更を否決する場合は、承認指示モジュール３４０が担当情報管理モジュール３２０内の承認状態３２４を「通常」に戻し、各担当者へ図１２に例示する担当者変更否決通知１２００を出す。
承認された場合は、承認指示モジュール３４０が担当情報管理モジュール３２０内の承認状態３２４を「通常」に変更し、加えて担当者情報を変更する。その後、フォルダ移行モジュール３６０に申請中フォルダへの移動の指示を出し、図１３に例示する担当者変更承認通知１３００を各担当者へ出す。
フォルダ移行モジュール３６０は、移動の指示を受け、担当者Ａの申請中フォルダ内のファックスデータを担当者Ｂのフォルダへ移動する。
【００５７】
図１６は、本実施の形態による処理例を示すフローチャートである。担当者の変更の申請が行われた後であって、その申請の承認又は否決が行われていない場合のファックスデータの格納処理例について説明したものである。
【００５８】
ステップＳ１６０２では、ファックスデータを受信する。
ステップＳ１６０４では、仕分け先情報を取得する。ファックスデータの送信元から、例えば、図６の担当者情報管理テーブル６００の送信元欄６１０で該当する行を抽出し、その行の担当者欄６１５を抽出すればよい。なお、担当者毎にフォルダが設定されているので、担当者が決定すれば、仕分け先情報に該当するフォルダも決定することになる。
【００５９】
ステップＳ１６０６では、ステータスが「承認中」であるか否かを判断し、「承認中」の場合はステップＳ１６０８へ進み、それ以外の場合はステップＳ１６１４へ進む。例えば、図６の担当者情報管理テーブル６００のステータス欄６２０で「承認中」であるか否かを判断すればよい。
ステップＳ１６０８では、仕分け先フォルダ内に「申請中フォルダ」があるか否かを判断し、ある場合はステップＳ１６１２へ進み、ステップＳ１６１０へ進む。図７の例に示したように、担当者のフォルダ下に申請中フォルダがあるか否かを判断すればよい。
【００６０】
ステップＳ１６１０では、「申請中フォルダ」を新規作成する。
ステップＳ１６１２では、ステップＳ１６０２で受信したファックスデータを現在の担当者の「申請中フォルダ」内に転送する。
【００６１】
ステップＳ１６１４では、ステップＳ１６０２で受信したファックスデータを仕分け先のフォルダに転送する。
【００６２】
また、担当者の変更の申請が行われた後であって、その申請の承認又は否決が行われていないファックスデータの一覧を表示するようにしてもよい。例えば、管理者のユーザー端末２５０又は情報処理装置１００に備え付けられている表示装置に申請中フォルダ一覧画面１７００を表示する。図１７は、本実施の形態による処理例を示す説明図である。申請中フォルダ一覧画面１７００には、申請中フォルダ一覧１７１０を表示する。申請中フォルダ一覧１７１０は、申請ＩＤ欄１７１５、送信元欄１７２０、ファックスデータ欄１７２５、変更前担当者欄１７３０、変更後担当者欄１７３５を有している。申請ＩＤ欄１７１５には、申請ＩＤを表示する。送信元欄１７２０には、送信元を表示する。ファックスデータ欄１７２５には、ファックスデータのファイル名称を表示する。変更前担当者欄１７３０には、そのファックスデータの変更前の担当者を表示する。変更後担当者欄１７３５には、そのファックスデータの変更後の担当者を表示する。
例えば、申請中フォルダ一覧１７１０の１行目は、申請ＩＤ：１は、送信元が「Ａ社」であり、ファックスデータのファイル名称が「ｘｘｘｘｘｘ発注書．ｐｄｆ」であり、変更前の担当者が「担当者Ａ」であり、変更後の担当者が「担当者Ｃ」であることを示しており、２行目は、申請ＩＤ：２は、送信元が「Ｂ社」であり、ファックスデータのファイル名称が「ｘｘｘｘｘｘ申請書．ｘｘｘ」であり、変更前の担当者が「担当者Ｂ」であり、変更後の担当者が「担当者Ｄ」であることを示しており、３行目は、申請ＩＤ：３は、送信元が「Ａ社」であり、ファックスデータのファイル名称が「ｙｙｙｙｙｙ発注書．ｘｘｘ」であり、変更前の担当者が「担当者Ａ」であり、変更後の担当者が「担当者Ｃ」であることを示しており、４行目は、申請ＩＤ：４は、送信元が「Ａ社」であり、ファックスデータのファイル名称が「ｚｚｚｚｚｚ発注書．ｘｘｘ」であり、変更前の担当者が「担当者Ａ」であり、変更後の担当者が「担当者Ｃ」であることを示しており、５行目は、申請ＩＤ：５は、送信元が「Ｃ社」であり、ファックスデータのファイル名称が「ｙｙｙｙｙｙ申請書．ｘｘｘ」であり、変更前の担当者が「担当者Ｅ」であり、変更後の担当者が「担当者Ｆ」であることを示している。
【００６３】
画像処理装置３００内の各モジュールを用いて、処理例を説明する。Ａ社の担当を担当者Ａから担当者Ｂへ変更する場合の動作を例に説明する。
ファックスデータ受信モジュール３０５が、ファックスデータを受信する。ファックスデータの受信をしたならば、ファックスデータ抽出モジュール３１０は、ファックスデータ受信モジュール３０５が受信したファックスデータから発信元番号等の担当者を判別するための情報を抽出する。
承認状態判断モジュール３４５は、ファックスデータ抽出モジュール３１０からそのファックスデータの情報を取得し、担当情報管理モジュール３２０内の担当情報３２２から該当の担当者（具体的には、担当者Ａ）とその担当者における承認状態３２４を取得する。承認状態３２４の内容について、管理者は図１７に例示する申請中フォルダ一覧画面１７００で確認することができる。
承認状態３２４が「通常」のステータスである場合、承認状態判断モジュール３４５は、転送モジュール３５５にファックスデータの移動指示を出し、転送モジュール３５５は移動指示を受け付け、担当者Ａのフォルダにファックスデータを移動する。
承認状態３２４が「承認中」のステータスである場合、フォルダ作成モジュール３５０に「申請中フォルダ」の作成指示を出す。フォルダ作成モジュール３５０は担当者Ａのフォルダに「申請中フォルダ」が作成されているか確認する。「申請中フォルダ」が作成されていない場合「申請中フォルダ」を新規に作成し、転送モジュール３５５にファックスデータの移動指示を出す。「申請中フォルダ」が既に作成されている場合は、新たに「申請中フォルダ」は作成せずに転送モジュール３５５にファックスデータの移動指示を出す。
転送モジュール３５５は、ファックスデータの移動指示を受け、担当者Ａの申請中フォルダにファックスデータを移動する。
【００６４】
図１８は、本実施の形態による処理例を示す説明図である。表示モジュール１４０が、申請前の担当者に対して、その担当者に割り当てられているフォルダに格納されたデータと申請中フォルダに格納されたデータとを区別して表示している例を示すものである。
図１８（ａ）は、担当者に割り当てられているフォルダと申請中フォルダの表示領域を異ならせた例を示すものである。
画面１８００Ａは、担当者表示領域１８１０Ａ、担当者Ａフォルダ内データ表示領域１８２０、申請中フォルダ内データ表示領域１８３０に分けて表示している。担当者表示領域１８１０Ａには、担当者名を表示する。担当者Ａフォルダ内データ表示領域１８２０には、担当者Ａに割り当てられているフォルダに格納されているファックスデータ１８２２、ファックスデータ１８２４、ファックスデータ１８２６を表示する。申請中フォルダ内データ表示領域１８３０には、申請中フォルダに格納されているファックスデータ１８３２、ファックスデータ１８３４を表示する。
担当者Ａは、自分が担当すべきデータとして、ファックスデータ１８２２、ファックスデータ１８２４、ファックスデータ１８２６があり、担当者変更の申請をしたが、未だ承認されていないために申請中フォルダに格納されているファックスデータ１８３２、ファックスデータ１８３４があることがわかる。
【００６５】
図１８（ｂ）は、１つの表示領域中に担当者に割り当てられているフォルダ内のファックスデータと申請中フォルダの内のファックスデータを区別して表示している例を示すものである。
画面１８００Ｂは、担当者表示領域１８１０Ｂ、担当ファックスデータ表示領域１８４０に分けて表示している。担当者表示領域１８１０Ｂには、担当者名を表示する。担当ファックスデータ表示領域１８４０には、ファックスデータ１８４２、ファックスデータ１８４４、ファックスデータ１８４６、ファックスデータ１８４８、ファックスデータ１８５０を表示する。なお、担当者Ａに割り当てられているフォルダに格納されているファックスデータ１８４２、ファックスデータ１８４４、ファックスデータ１８４６は実線で表示し、申請中フォルダに格納されているファックスデータ１８４８、ファックスデータ１８５０はフェードアウトして表示している。
担当者Ａは、自分が担当すべきデータとして、ファックスデータ１８４２、ファックスデータ１８４４、ファックスデータ１８４６があり、担当者変更の申請をしたが、未だ承認されていないために申請中フォルダに格納されているファックスデータ１８４８、ファックスデータ１８５０があることがわかる。
【００６６】
図１９を参照して、本実施の形態の情報処理装置１００、画像処理装置３００のハードウェア構成例について説明する。図１９に示す構成は、例えばパーソナルコンピュータ等によって構成されるものであり、スキャナ等のデータ読み取り部１９１７と、プリンタ等のデータ出力部１９１８を備えたハードウェア構成例を示している。
【００６７】
ＣＰＵ（Ｃｅｎｔｒａｌ  Ｐｒｏｃｅｓｓｉｎｇ  Ｕｎｉｔの略）１９０１は、前述の実施の形態において説明した各種のモジュール、すなわち、制御モジュール１０５、受取モジュール１１０、格納モジュール１３０、表示モジュール１４０、通知モジュール１５０、ファックスデータ受信モジュール３０５、ファックスデータ抽出モジュール３１０、転送制御モジュール３１５、担当情報管理モジュール３２０、承認依頼モジュール３３０、担当変更申請モジュール３３５、承認指示モジュール３４０、承認状態判断モジュール３４５、フォルダ作成モジュール３５０、転送モジュール３５５、フォルダ移行モジュール３６０等の各モジュールの実行シーケンスを記述したコンピュータ・プログラムにしたがった処理を実行する制御部である。
【００６８】
ＲＯＭ（Ｒｅａｄ  Ｏｎｌｙ  Ｍｅｍｏｒｙの略）１９０２は、ＣＰＵ１９０１が使用するプログラムや演算パラメータ等を格納する。ＲＡＭ（Ｒａｎｄｏｍ  Ａｃｃｅｓｓ  Ｍｅｍｏｒｙの略）１９０３は、ＣＰＵ１９０１の実行において使用するプログラムや、その実行において適宜変化するパラメータ等を格納する。これらはＣＰＵバス等から構成されるホストバス１９０４により相互に接続されている。
【００６９】
ホストバス１９０４は、ブリッジ１９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅの略）バス等の外部バス１９０６に接続されている。
【００７０】
キーボード１９０８、マウス等のポインティングデバイス１９０９は、操作者により操作されるデバイスである。ディスプレイ１９１０は、液晶表示装置又はＣＲＴ（Ｃａｔｈｏｄｅ  Ｒａｙ  Ｔｕｂｅの略）等があり、各種情報をテキストやイメージ情報として表示する。また、ポインティングデバイス１９０９とディスプレイ１９１０の両方の機能を備えているタッチスクリーン等であってもよい。その場合、キーボードの機能の実現について、キーボード１９０８のように物理的に接続しなくても、画面（例えば、タッチスクリーン）上にソフトウェアでキーボード（いわゆるソフトウェアキーボード、スクリーンキーボード等ともいわれる）を描画して、キーボードの機能を実現するようにしてもよい。
【００７１】
ＨＤＤ（Ｈａｒｄ  Ｄｉｓｋ  Ｄｒｉｖｅの略）１９１１は、ハードディスク（ハードディスク以外に、フラッシュ・メモリ等であってもよい）を内蔵し、ハードディスクを駆動し、ＣＰＵ１９０１によって実行するプログラムや情報を記録又は再生させる。ＨＤＤ１９１１は、格納場所１２０、転送先格納場所３８０等としての機能を実現させる。さらに、その他の各種データ、各種コンピュータ・プログラム等が格納される。
【００７２】
ドライブ１９１２は、装着されている磁気ディスク、光ディスク、光磁気ディスク、又は半導体メモリ等のリムーバブル記録媒体１９１３に記録されているデータ又はプログラムを読み出して、そのデータ又はプログラムを、インタフェース１９０７、外部バス１９０６、ブリッジ１９０５、及びホストバス１９０４を介して接続されているＲＡＭ１９０３に供給する。なお、リムーバブル記録媒体１９１３も、データ記録領域として利用可能である。
【００７３】
接続ポート１９１４は、外部接続機器１９１５を接続するポートであり、ＵＳＢ、ＩＥＥＥ１３９４等の接続部を持つ。接続ポート１９１４は、インタフェース１９０７、及び外部バス１９０６、ブリッジ１９０５、ホストバス１９０４等を介してＣＰＵ１９０１等に接続されている。通信部１９１６は、通信回線に接続され、外部とのデータ通信処理を実行する。データ読み取り部１９１７は、例えばスキャナであり、ドキュメントの読み取り処理を実行する。データ出力部１９１８は、例えばプリンタであり、ドキュメントデータの出力処理を実行する。
【００７４】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１９に示す情報処理装置１００、画像処理装置３００のハードウェア構成は、１つの構成例を示すものであり、本実施の形態は、図１９に示す構成に限らず、本実施の形態において説明したモジュールを実行可能な構成であればよい。例えば、一部のモジュールを専用のハードウェア（例えば特定用途向け集積回路（具体例として、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔの略）等がある）や再構成可能な集積回路（具体例として、ＦＰＧＡ（ｆｉｅｌｄ−ｐｒｏｇｒａｍｍａｂｌｅ  ｇａｔｅ  ａｒｒａｙの略）等がある）で構成してもよく、一部のモジュールは外部のシステム内にあり通信回線で接続している形態でもよく、さらに図１９に示すシステムが複数互いに通信回線によって接続されていて互いに協調動作するようにしてもよい。また、特に、パーソナルコンピュータの他、携帯情報通信機器（携帯情報通信機器として、携帯電話、スマートフォン、モバイル機器、ウェアラブルコンピュータ等を含む）、情報家電、ロボット、複写機、ファックス、スキャナ、プリンタ、複合機（複合機とは、スキャナ、プリンタ、複写機、ファックス等のいずれか２つ以上の機能を有している画像処理装置）などに組み込まれていてもよい。
【００７５】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌの略）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００７６】
１００…情報処理装置
１０５…制御モジュール
１１０…受取モジュール
１２０…格納場所
１２２…担当者用格納場所
１２４…仮格納場所
１３０…格納モジュール
１４０…表示モジュール
１５０…通知モジュール
２００…データ転送装置
２２０…データ格納装置
２５０…ユーザー端末
２６０…ユーザー
２７０…データ送信装置
２９０…通信回線
３００…画像処理装置
３０５…ファックスデータ受信モジュール
３１０…ファックスデータ抽出モジュール
３１５…転送制御モジュール
３２０…担当情報管理モジュール
３２２…担当情報
３２４…承認状態
３３０…承認依頼モジュール
３３５…担当変更申請モジュール
３４０…承認指示モジュール
３４５…承認状態判断モジュール
３５０…フォルダ作成モジュール
３５５…転送モジュール
３６０…フォルダ移行モジュール
３７０…ファックス
３８０…転送先格納場所
３８２…担当者Ａフォルダ
３８４…申請中フォルダ
３８６…ファックスデータ
３８８…担当者Ｂフォルダ
【図１】
2020144490.tif 000003
【図２】
2020144490.tif 000004
【図３】
2020144490.tif 000005
【図４】
2020144490.tif 000006
【図５】
2020144490.tif 000007
【図６】
2020144490.tif 000008
【図７】
2020144490.tif 000009
【図８】
2020144490.tif 000010
【図９】
2020144490.tif 000011
【図１０】
2020144490.tif 000012
【図１１】
2020144490.tif 000013
【図１２】
2020144490.tif 000014
【図１３】
2020144490.tif 000015
【図１４】
2020144490.tif 000016
【図１５】
2020144490.tif 000017
【図１６】
2020144490.tif 000018
【図１７】
2020144490.tif 000019
【図１８】
2020144490.tif 000020
【図１９】
2020144490.tif 000021